(57)【要約】【課題】  外壁などの漏水を確実かつ効率的に行なうことができる、漏水検査用治具を提供すること。【解決手段】  建造物の漏水検査用の治具であって、一端を底面２で閉じ、他端を開放端とした筒状の本体１と、上記底面２から起立した側壁３において上記開放端側に設けられ、漏水の被検査対象の被検査面に対する接合部３ａと、上記底面２に開口され水道水が供給される水道水の給水口５と、給水口５から供給された水道水を排出するための排水口６とを備えている。【選択図】  図１
0003232208.tif 000002
【実用新案登録請求の範囲】
【請求項１】
建造物の漏水検査用の治具であって、
一端を底面で閉じ、他端を開放端とした筒状の本体と、
上記底面から起立した側壁において上記開放端側に設けられ、漏水の検査対象の被検査面に対する接合部と、
上記底面もしくは上記側壁に開口され水道水が供給される水道水の給水口と、
を備えた漏水検査用治具。
【請求項２】
上記側壁は、
上記開放端から連続して切り欠いた開口部を備えた請求項１に記載の漏水検査用治具。
【請求項３】
上記側壁は、上記開口部を一対備えるとともに、これらの開口部が一直線上に対向配置された請求項２に記載の漏水検査用治具。
【請求項４】
上記本体が、角筒状であり、上記本体の底面が、長方形もしくは正方形である請求項１〜３のいずれか１項に記載の漏水検査用治具。
【請求項５】
上記底面もしくは上記側壁に、水道水を排出する排水口が開口した請求項１〜４のいずれか１項に記載の漏水検査用治具。
【考案の詳細な説明】
【技術分野】
【０００１】
この考案は、建造物の壁面などの漏水箇所を特定するための、漏水検査用治具に関する。
【背景技術】
【０００２】
建造物の外壁や屋上面、サッシ周りなどにクラックが発生し、雨水が屋内へ入り込んでしまうことがあった。
このような漏水箇所を特定するため、従来は、降雨を想定して水道水や漏水検査溶液を外壁に向かって散布したり、検査溶液を入れた容器を外壁面に取り付けたりすることが行なわれていた（特許文献１，２，３参照）。
【先行技術文献】
【特許文献】
【０００３】
【特許文献１】特開２００３−２５４８５１号公報
【特許文献２】特開２００１−０４９８７２号公報
【特許文献３】特開２０００−２４１２８６号公報
【考案の概要】
【考案が解決しようとする課題】
【０００４】
上記のように、液体を外壁に噴霧して漏水を特定する方法では、噴霧液体が外壁面に広く噴霧されるため、漏水の原因となる液体の浸入口部分を特定しにくいうえ、外壁からクラックを通過して屋内まで液体が到達するまでに時間がかかる。そのため、漏水箇所を正確に特定するために長時間かかってしまうという問題があった。また、漏水箇所が特定されるまで、外壁に水を噴霧し続けなければならず、効率的ではなかった。
一方、浸入口と疑われる箇所に検査溶液を入れた容器を取り付けて、当該容器から屋内への検査溶液の到達によって漏水を見つける方法でも、浸入経路によっては、漏水発見までかなり時間がかかってしまう。また、検査溶液の浸入経路が長い場合には、容器内の検査溶液が足りなくなってしまうようなこともあった。
【０００５】
この考案の目的は、短時間で正確に、漏水の有無及び漏水箇所を特定できる漏水検査用治具を提供することである。
【課題を解決するための手段】
【０００６】
第１の考案は、建造物の漏水検査用の治具であって、一端を底面で閉じ、他端を開放端とした筒状の本体と、上記底面から起立した側壁において上記開放端側に設けられ、漏水の被検査対象の被検査面に対する接合部と、上記底面もしくは上記側壁に開口され水道水が供給される給水口とを備えている。
【０００７】
第２の考案は、上記側壁が、上記開放端から連続して切り欠いた開口部を備えている。
【０００８】
第３の考案は、上記側壁が、上記開口部を一対備えるとともに、これらの開口部が一直線上に対向配置されている。
【０００９】
第４の考案は、上記本体が角筒状であり、上記本体の底面が、長方形もしくは正方形である。
【００１０】
第５の考案は、上記底面もしくは上記側壁には、水道水を排出する排水口が開口している。
【考案の効果】
【００１１】
第１の考案によれば、外壁などの検査対象部に本体を取り付けて、本体内に給水口を介して水道水を供給することで、漏水の有無を確認することができる。この考案の治具の本体内には水道水の圧力が連続的に作用するので、単に液体を散布した場合とは異なり、短時間でクラック内に水を浸入させることができる。したがって、漏水検査にかかる時間を大幅に短縮することができる。しかも、漏水箇所は、本体を取り付けた部分に限られるので、この検査用治具を用いれば漏水箇所を正確に特定できる。
【００１２】
第２の考案によれば、本体の側壁に形成された開口部を建造物の外壁面から突出したサッシや水切り材に対応させることで、サッシや水切り材の周りに本体を取り付けることができる。そのため、サッシや水切り材と壁面との接合部の漏水を検査することができる。
【００１３】
第３の考案によれば、治具の本体を、壁面から突出した長尺のサッシや水切り材をまたいで壁面に取り付けることができる。したがって、サッシや水切り材の中間部分の漏水検査が可能になる。
【００１４】
第４の考案によれば、底面から起立した平坦な側壁面を、被検査面から突出した柱などに接触させて取り付けることができる。
また、側壁の一部を切り欠いた開口部を備えた場合、開口部が形成された特定の辺を壁面に当接させて、入隅部に水道水を供給できる。したがって、入隅部の漏水検査を容易にできる。
【００１５】
第５の考案によれば、本体に供給された水道水を、排水口を介して排出させ、本体内の圧力が高くなりすぎないようにすることができる。本体内の圧力が高くなりすぎると、検査箇所に取り付けた本体が脱落してしまう可能性があるが、この考案によれば本体を脱落しにくくできる。また、検査箇所に本体をそれほど強固に固定する必要がないので、本体を取り付ける際に用いる、接着材などの量を削減したり、取り付け作業時間を短縮したりすることもできる。
【図面の簡単な説明】
【００１６】
【図１】図１は第１実施形態の漏水検査用治具の本体の斜視図である。
【図２】図２は第２実施形態の漏水検査用治具の本体の斜視図である。
【図３】図３は第３実施形態の漏水検査用治具の本体の斜視図である。
【図４】図４は第１〜第３実施形態の漏水検査用治具の使用例を示した図である。
【図５】図５は第４実施形態の漏水検査用治具の本体の斜視図である。
【図６】図６は第４実施形態の漏水検査用治具の使用例を示した図である。
【図７】図７は第４実施形態の漏水検査用治具の他の使用例を示した図である。
【考案を実施するための形態】
【００１７】
[第1実施形態]
以下に、図１、図４に示すこの考案の第１実施形態を説明する。
図１は、第１実施形態の漏水検査用治具の本体の斜視図であり、図４はその使用例を示した図である。
図１に示す第１実施形態の漏水検査用治具の本体１は、長方形の底面２と、この底面２から起立した側壁３を備えている。すなわち、本体１は、一端を底面２で閉じ、他端を開放端とし、内部に空部が形成された角筒状の部材である。側壁３は長方形の底面２の一方の短辺２ａに対応する部分を切り欠いて形成された開口部４ａを備え、コの字状に形成されている。例えば、本体１は樹脂製である。
【００１８】
また、上記底面２には間隔を隔てて一対の円形の開口である、給水口５と排水口６とが形成されている。
これら給水口５と排水口６には、それぞれ図示しないコネクタ（例えばカプラ）が取り付けられ、蛇口などに接続された水道水の供給用ホースが当該給水口５に接続され、水道水の排出用ホースが当該排水口６に接続されるようになっている。
また、上記側壁３において底面２と反対側の端部である開放端側の端面３ａは、当該治具の使用時に、被検査面となる外壁面などに固定される接合部となる。
【００１９】
［作用・効果等］
この第１実施形態の漏水検査用治具は、例えば、図４に示すように、建造物の外壁面７において窓枠８の下に設けられた水切り材９の端部９ａ付近の漏水を検査するために用いる。
検査時には、水切り材９の端部９ａを本体１の側壁３で囲むようにして当該本体１の空部に収容し、端面３ａを外壁面７に当接し、シーリング材１０によって本体１を外壁面７に固定する。このとき、上記端面３ａと外壁面７との隙間、水切り材９と開口部４ａとの隙間をシーリング材１０で埋めるようにする。シーリング材１０は、シリコン樹脂やウレタン系樹脂などの粘着材で、数時間から１日で硬化し、本体１と外壁面７との隙間をシールすることができる。
【００２０】
本体１を外壁面７に取り付けたら、給水口５及び排水口６に、それぞれ供給用ホース、排出用ホースを接続し、給水口５を介して供給用ホースから本体１内へ水道水を供給する。給水口５から本体１内へ供給された水道水は、排水口６を介して排出用ホースから排出されるが、本体１内には所定の水圧が連続的に作用する。なお、図４では水道水の給排方向を矢印で示している。
また、本体１内に作用する水圧は、水道栓の開度によって簡単に調整できる。
【００２１】
上記のように水道水を供給すれば、周囲をシーリング材１０でシールされた本体１内に水圧が作用する。外壁面７に漏水の原因となるクラックなどがあれば、このクラックに水が浸み込んで、建造物内の壁等からその水が滲み出してくるため、漏水を発見できる。しかも、この第１実施形態では、検査箇所に水圧をかけ続けるので、単に水を噴霧した場合と比べて、短時間で漏水検査ができる。また、水道水を本体１内に連続的に供給できるため、水が無くなり検査が中断してしまうようなこともない。
特に、水切り材９との境目では、外壁面７や防水用シーリング材に、欠損やクラックなどができやすいので、そのような場所に本体１を取り付けることで、簡単に漏水検査ができることのメリットは大きい。
【００２２】
なお、上記開口部４ａの開口形状や開口の大きさは、被検査面に設けられた水切り材９などの凸部の大きさに応じて設定される。本体１が、水切り材９などを覆うためには、水切り材９の断面積より大きい開口面積が必要である。しかし、水切り材９と比べて開口部４ａの開口が大き過ぎた場合には、水切り材９と本体１の開口部４ａとの隙間が大きくなって、その隙間を塞ぐためのシーリング材１０の必要量が多くなるうえ、シーリング作業にも時間がかかってしまう。したがって、開口部４ａの開口の大きさは、シーリング作業なども考慮して設定することが好ましい。
【００２３】
［第２実施形態］
図２，図４に示す第２実施形態を説明する。図２は、第２実施形態の漏水検査用治具の本体の斜視図であり、図４は第２実施形態の使用例を示した図である。
第２実施形態の漏水検査用治具の本体１１は、図２に示すように、長方形の底面２に起立した側壁３を有する角筒状の部材で、上記側壁３に一対の開口部４ａ，４ｂが形成されている。すなわち、本体１１は、断面がコの字状に形成されている。
開口部４ａは、図１に示した第１実施形態の開口部と同様に、底面２の一方の短辺２ａに対応する部分を切り欠いて形成されている。さらに、第２実施形態では、他方の短辺２ｂに対応する部分を切り欠いて上記開口部４ｂが形成されている。
【００２４】
上記開口部４ａ，４ｂは同一形状で、本体１１において一直線上に対向配置されている。
このように、第２実施形態の本体１１は、一直線上に対向する一対の開口部４ａ，４ｂが設けられ、これら開口部４ａ，４ｂによって、接合部となる端面３ａが第１実施形態と異なり切り離されているが、その他の構成は、第１実施形態の本体１と同じである。第２実施形態において第１実施形態と同様の構成要素には、第１実施形態と同じ符号を用いている。
【００２５】
[作用・効果等]
第２実施形態の本体１１には、一対の開口部４ａ，４ｂを備えているので、これら開口部４ａ，４ｂによって、本体１１に水切り材９のような長尺部材を貫通させることができる。
したがって、本体１１は、図４に示すように水切り材９の長手方向の中間部分に取り付けることができる。取り付けの際には、第１実施形態と同様に、図示しないシーリング材１０を用いて本体１１が外壁面７に固定される。
【００２６】
本体１１が取り付けられたら、給水口５から水道水を供給し、排水口６から水道水を排出させながら、漏水検査を行なうことができる。第２実施形態においても、本体１１内に連続的に水圧を作用させることによって、短時間で漏水を検出することができる。また、水道水を本体１１内に連続的に供給できるため、水が無くなり検査が中断してしまうようなこともない。
【００２７】
[第３実施形態]
図３，図４に示す第３実施形態を説明する。図３は、第３実施形態の漏水検査用治具の本体の斜視図であり、図４は第３実施形態の使用例を示した図である。
第３実施形態の本体１２は、図３に示す長方形の底面１３の短辺１３ａ，１３ｂが、図２に示す第２実施形態の底面２の短辺２ａ，２ｂよりも長く、底面１３がほぼ正方形である。
【００２８】
また、本体１２は、上記底面１３から起立した側壁１４を備えるとともに、側壁１４のうち底面１３の一対の短辺１３ａ，１３ｂに対応する部分にそれぞれ開口部１５ａ，１５ｂを開口させ、これら一対の開口部１５ａ，１５ｂを一直線上で対向させている。上記開口部１５ａ，１５ｂは、第２実施形態の開口部４ａ，４ｂとほぼ等しい大きさである。なお、上記側壁１４において底面１３と対向する側（底面１３の反対側）である開放端側の端面１４ａが接合部である。
また、底面１３には給水口５と排水口６とが、長方形の底面１３のほぼ対角線上に間隔を保って形成されている。
【００２９】
[作用・効果等]
第３実施形態の本体１２も、一対の開口部１５ａ，１５ｂによって、水切り材９を貫通させ、シーリング材１０によって端面１４ａを外壁面７に固定し、取り付けることができる。この第３実施形態においても、本体１２と外壁面７との隙間や、水切り材９と開口部１５ａ，１５ｂとの隙間はシーリング材１０によってシールされるようにしている。
図４に示すように、水切り材９の中間部分に本体１２を取り付けて、水道水を供給すれば、図２に示す第２実施形態の本体１１と同様に、水切り材９の中間部分の漏水検査を行なうことができる。
【００３０】
この第３実施形態でも、上記他の実施形態と同様に水圧によって、短時間で漏水検査をすることができる。また、水道水を本体１１内に連続的に供給できるため、水が無くなり検査が中断してしまうようなこともない。
なお、第３実施形態では、給水口５と排水口６とを底面１３の対角線上に配置し、給水口５と排水口６との間に十分な距離を確保するようにしている。
【００３１】
上記底面１３において給水口５と排水口との距離を十分に確保するのは、給水口５と排水口６との距離が小さすぎると、これらの開口によって底面１３の強度が保たれない可能性があるからである。そのため、本体１２では、給水口５と排水口６とを対角線上に配置することで、給水口５及び排水口６をいずれかの辺に沿って配置する場合よりも、給水口５と排水口６との距離を大きくしている。ただし、給水口５及び排水口６の配置は、本体の大きさや形状などに応じて選択すればよい。
【００３２】
[第４実施形態]
図５，図６，図７に示す第４実施形態を説明する。図５は、第４実施形態の漏水検査用治具の本体１６の斜視図であり、図６，図７は本体１６の使用例を示した図である。
第４実施形態の本体１６はほぼ正方形の底面１７の周囲に沿って起立した側壁１８を備えた角筒状部材である。この側壁１８のうち、底面１７の一つの辺１７ａに対応する部分を切り欠いて開口部１９が形成されている。そして、上記側壁１８の端面１８ａが外壁面に対する接合部となる。
【００３３】
また、底面１７には給水口５と排水口６とが底面１７のほぼ対角線上に形成されるとともに、上記開口部１９より内側に、辺１７ａに沿うとともに、側壁１８よりも高さが低い凸部２０が形成されている。この凸部２０は、コの字状の側壁１８と相まって、底面１７の給水口５及び排水口６が形成されたエリアを囲むように配置されている。
【００３４】
[作用・効果等]
この第４実施形態の本体１６は、図６に示すように、直交する一対の外壁面７，２１間である入隅部２２の漏水検査用に用いることができる。
具体的には、側壁１８の接合部である端面１８ａを一方の外壁面７に当接させるとともに、開口部１９を他方の外壁面２１に当接させて、シーリング材１０で固定する。そして、水道水を、給水口５から供給して排水口６から排出させれば、本体１６内に供給された水道水は、側壁１８よりも高さの低い凸部２０を越えて開口部１９から入隅部２２に水圧を作用させる。したがって、この第４実施形態は上記入隅部２２に対し、上記他の実施形態と同様に効率的な漏水検査ができる。
【００３５】
また、本体１６は、図７に示すように、上記端面１８ａを外壁面２１に当接させて固定し、平面内のクラックなどによる漏水を検査することもできる。この場合、側壁１８を切り欠いて形成された開口部１９から水道水が排出されないようにシーリング材１０で外壁面２１との間の隙間を完全に封鎖しなければならない。ただし、この第４実施形態では、底面１７に凸部２０を設けているので、この凸部２０の頂上と外壁面２１との間を塞げば、開口部１９からの排水を止めることができる。したがって、凸部２０の突出分だけ、外壁面２１と本体１６と隙間を封鎖するために必要なシーリング材１０の量を減らすことができる。
【００３６】
なお、平面内の漏水箇所を検査するためなら、側壁に開口部を設けていない筒状の本体を用いることができる。しかし、開口部を備えていない筒状の本体では、例えば、水切り材９の周囲や、入隅部２２の漏水検査には利用できない。
【００３７】
一方、入隅部２２を検査するためなら、上記本体１６において凸部２０を設けずに開口部１９をそのまま開放したままの本体を用いることができる。また、このように開口部１９を開放したままの本体でも、開口部１９をシーリング材１０で封鎖すれば平面検査用として用いることも可能である。
ただし、第４実施形態の本体１６は、入隅部検査用と平面検査用とを兼ね、上記凸部２０を設けたことで、平面検査時のシーリング作業を簡略化できるようにしている。
【００３８】
なお、実際の漏水検査時には、複数の検査対象箇所にそれぞれ適した本体を取り付け、複数の検査を同時に行なうことができる。
また、近くに取り付けた一つの本体の排水口６と別の本体の給水口５との間にホースなどを接続して、複数の本体を直列に接続すれば、ひとつの水源で複数箇所の検査を同時に行なうこともできる。
【００３９】
また、本体は、排水口６を設けずに給水口５だけを設けてもよい。この場合でも、水圧を調整すれば、シーリング材１０によって外壁面等に取り付けられた本体が当該外壁面等から外れてしまうことを防止しつつ、その水圧によって、短時間で漏水検査をすることができる。また、水道水を本体１１内に連続的に供給できるため、水が無くなり検査が中断してしまうようなこともない。
【００４０】
なお、上記実施形態の本体は、いずれも底面に給水口５及び排水口６が形成されているが、給水口５及び排水口６は底面ではなく側壁に形成されていてもよい。例えば、給水口５及び排水口６が側壁に形成されてもよいし、給水口５または排水口６のいずれか一方が底面に形成され、他方が側壁に形成されていてもよい。
また、上記では、本体の底面形状が長方形または正方形の本体について説明したが、底面の形状は上記に限らない。例えば、長方形以外の多角形や円形などでもよい。
底面の形状や大きさは、検査対象箇所の形状や大きさに応じて選択することができる。
【００４１】
なお、上記実施形態の漏水検査用治具は、外壁面のコンクリートのクラック部分だけではなく、例えば、タイルやタイル目地、建造物の揺れに備えた構造部に設けられた防水用のシーリング材などの劣化による欠損やクラック発生部分の検査にも用いることができる。
【産業上の利用可能性】
【００４２】
様々な場所の漏水検査の作業性を向上させることができる。
【符号の説明】
【００４３】
１，１１，１２，１６    本体
２，１３，１７    底面
３，１４，１８    側壁
３ａ，１４ａ，１８ａ    （接合部）端面
４ａ，４ｂ，１５ａ，１５ｂ，１９    （切り欠き）開口部
５    給水口
６    排水口
７，２１    外壁面
２２    入隅部
【図１】
0003232208.tif 000003
【図２】
0003232208.tif 000004
【図３】
0003232208.tif 000005
【図４】
0003232208.tif 000006
【図５】
0003232208.tif 000007
【図６】
0003232208.tif 000008
【図７】
0003232208.tif 000009